(57)【要約】【課題】筐体内の奥への水等の浸入を抑制することが可能な充放電ユニット及びそれを備える電源ユニット、充放電システム、電源システムを提供する。【解決手段】充放電ユニットは、装着部４と、充放電回路部と、筐体と、ファン１０と、を備える。筐体は、装着部４および充放電回路部５が収納され、かつ、電池パック９を収納可能である。ファン１０は、筐体に収納され、筐体内に空気を流す。筐体は、底板と、周壁２３と、を有する。周壁２３には、通気口２３１１が形成されている。通気口２３１１とファン１０との間において、底板に第１孔が形成され、かつ、通気口２３１１と対向する仕切壁２５が設けられている。仕切壁２５の端２５１と筐体２の内面との間に隙間がある。【選択図】図９
2018037460.tif 000002
【特許請求の範囲】
【請求項１】
電池パックが着脱自在に装着される装着部と、
前記装着部に装着された前記電池パックを充電する機能及び放電させる機能を有する充放電回路部と、
前記装着部および前記充放電回路部が収納され、かつ、前記電池パックを収納可能な筐体と、
前記筐体に収納され、前記筐体内に空気を流すファンと、を備え、
前記筐体は、底板と、前記底板から前記底板の厚さ方向に突出する筒形状の周壁と、を有し、
前記周壁には、通気口が形成され、
前記通気口と前記ファンとの間において、前記底板に孔が形成され、かつ、前記通気口と対向する仕切壁が設けられ、
前記仕切壁の端と前記筐体の内面との間に隙間がある
ことを特徴とする充放電ユニット。
【請求項２】
前記周壁は、前記通気口が形成されている第１側壁と、厚さ方向が前記第１側壁の厚さ方向と交差する第２側壁と、を有し、
前記通気口と前記ファンとの間において、前記第２側壁に、前記孔である第１孔とは別の第２孔が形成されている
ことを特徴とする請求項１記載の充放電ユニット。
【請求項３】
前記通気口と前記ファンとの間において、前記仕切壁が複数設けられ、
前記複数の仕切壁は、互いに一方向に離れて設けられ、
前記複数の仕切壁の各々は、前記一方向において、隣りの仕切壁の端と前記筐体の内面との間の隙間を覆う
ことを特徴とする請求項１又は２記載の充放電ユニット。
【請求項４】
前記底板に対して前記周壁の突出方向に離れた一面を有する台座部を更に備え、
前記ファンは、前記台座部の前記一面に配置される
ことを特徴とする請求項１乃至３のいずれか１項に記載の充放電ユニット。
【請求項５】
請求項１乃至４のいずれか１項に記載の充放電ユニットと、
前記装着部に装着される電池パックと、を備える
ことを特徴とする電源ユニット。
【請求項６】
請求項１乃至４のいずれか１項に記載の充放電ユニットと、
前記電池パックの放電電力を電力変換する電力変換ユニットと、を備える
ことを特徴とする充放電システム。
【請求項７】
請求項６記載の充放電システムと、
前記装着部に装着される電池パックと、を備える
ことを特徴とする電源システム。
【発明の詳細な説明】
【技術分野】
【０００１】
本発明は、一般に、充放電ユニット及びそれを備える電源ユニット、充放電システム、電源システムに関し、より詳細には、電池パックの充電と放電とが可能な充放電ユニット、及びそれを備える電源ユニット、充放電システム、電源システムに関する。
【背景技術】
【０００２】
従来、電池パックの充電と放電とが可能な電源装置（電源ユニット）が提案されている（特許文献１）。筐体に収納された電子部品を放熱する構造として、筐体に設けられた吸気孔から外部の空気を吸気し、給気した空気が筐体内部を通過し、筐体に設けられた排気孔から排出する冷却構造がある（特許文献２）。
【先行技術文献】
【特許文献】
【０００３】
【特許文献１】特開２０１４−５０２３４号公報
【特許文献２】特開平７−９５７７１号公報
【発明の概要】
【発明が解決しようとする課題】
【０００４】
特許文献２に記載された冷却構造は、吸気孔の傍に電子部品が配置されており、吸気孔を介して水等が筐体内に浸入した場合に、電子部品が誤動作する可能性がある。
【０００５】
本発明の目的は、筐体内の奥への水等の浸入を抑制することが可能な充放電ユニット及びそれを備える電源ユニット、充放電システム、電源システムを提供することにある。
【課題を解決するための手段】
【０００６】
本発明の一態様に係る充放電ユニットは、装着部と、充放電回路部と、筐体と、ファンと、を備える。前記装着部は、電池パックが着脱自在に装着される。前記充放電回路部は、前記装着部に装着された前記電池パックを充電する機能及び放電させる機能を有する。前記筐体は、前記装着部および前記充放電回路部が収納され、かつ、前記電池パックを収納可能である。前記ファンは、前記筐体に収納され、前記筐体内に空気を流す。前記筐体は、底板と、前記底板から前記底板の厚さ方向に突出する筒形状の周壁とを有する。前記周壁には、通気口が形成されている。前記通気口と前記ファンとの間において、前記底板に孔が形成され、かつ、前記通気口と対向する仕切壁が設けられている。前記仕切壁の端と前記筐体の内面との間に隙間がある。
【０００７】
本発明の一態様に係る電源ユニットは、上記の充放電ユニットと、前記装着部に装着される電池パックと、を備える。
【０００８】
本発明の一態様に係る充放電システムは、上記の充放電ユニットと、前記電池パックの放電電力を電力変換する電力変換ユニットと、を備える。
【０００９】
本発明の一態様に係る電源システムは、上記の充放電システムと、前記装着部に装着される電池パックと、を備える。
【発明の効果】
【００１０】
本発明の充放電ユニット及びそれを備える電源ユニット、充放電システム、電源システムは、筐体内の奥への水等の浸入を抑制することが可能となる。
【図面の簡単な説明】
【００１１】
【図１】図１は、本発明の一実施形態に係る充放電ユニットの正面側から見た斜視図である。
【図２】図２は、同上の充放電ユニットの背面側から見た斜視図である。
【図３】図３は、同上の充放電ユニットを備える電源ユニットにおいてカバーを開いた状態の斜視図である。
【図４】図４は、同上の充放電ユニットの正面図である。
【図５】図５は、同上の充放電ユニットの平面図である。
【図６】図６は、同上の充放電ユニットの下面図である。
【図７】図７は、同上の充放電ユニットの左側面図である。
【図８】図８は、同上の充放電ユニットを備える電源ユニットにおいてカバーを取り外した状態の平面図である。
【図９】図９は、同上の充放電ユニットを備える電源ユニットにおいてカバーを取り外した状態の斜視図である。
【図１０】図１０は、同上の充放電ユニットの装着部に装着可能な電池パックの斜視図である。
【図１１】図１１は、同上の充放電ユニットを２台重ねて使用する場合の回路ブロック図である。
【図１２】図１２は、同上の充放電ユニットを２台重ねて使用する場合の斜視図である。
【図１３】図１３Ａは、同上の充放電ユニットを２台重ねて使用する場合の一部破断した左側面図である。図１３Ｂは、同上の充放電ユニットを２台重ねて使用する場合の一部破断した右側面図である。
【図１４】図１４は、同上の充放電ユニットにおいて底板及び台座部を含む要部の断面図である。
【図１５】図１５は、同上の充放電ユニットを含む充放電システムを備える電源システムの正面側から見た斜視図である。
【図１６】図１６は、同上の充放電ユニットを含む充放電システムを備える電源システムの回路ブロック図である。
【発明を実施するための形態】
【００１２】
（実施形態）
以下、本実施形態の充放電ユニット１について図１〜１６に基づいて説明する。
【００１３】
本実施形態の充放電ユニット１は、例えば電動工具等において電源として利用される電池パック９を装着可能な装着部４（図３、８及び９参照）を備えた可搬型の充放電装置である。充放電ユニット１は、装着部４に装着された電池パック９（図３、８、９及び１０参照）を放電させて負荷Ｌ１（図１１参照）に電力を供給することができる。負荷Ｌ１は、電気機器であり、例えば、ＬＥＤ投光器である。充放電ユニット１は、外部電源Ｅ１（図１１参照）からの供給電力により、装着された電池パック９を充電することができる。外部電源Ｅ１は、例えば、商用電源である。ここにおいて、充放電ユニット１は、例えば、外部電源Ｅ１から電力供給を受けるための電源コードを備えるのが好ましい。充放電ユニット１は、電池パック９が装着部４に装着されることにより、外部電源Ｅ１のない場所においても利用することが可能となる。また、充放電ユニット１は、他の充放電ユニット１と電気的に接続可能である（図１１〜１３参照）。充放電ユニット１は、他の充放電ユニット１と電気的に接続することにより、電池パック９の放電電力を他の充放電ユニット１との間で共有することができる。
【００１４】
以下に、本実施形態の充放電ユニット１の詳細について説明する。以下では、説明の便宜上、充放電ユニット１同士を電気的に接続する際に充放電ユニット１が並べて配置される方向（図１２参照）を第１方向Ｄ１として説明する。また、充放電ユニット１の筐体２から突出可能な複数（２つ）の導電バー８１（図１参照）が並ぶ方向を第２方向Ｄ２とし、第１方向Ｄ１と第２方向Ｄ２とに直交する方向を第３方向Ｄ３として説明する。
【００１５】
充放電ユニット１は、筐体２、ベース３（図３参照）、複数（５つ）の装着部４（図３参照）、充放電回路部５（図１１参照）、操作部６、表示部７、複数（２つ）の電気接続部８、ファン１０（図８及び９参照）、電源入力部１１及び電源出力部１２を備えている。ここにおいて、複数の装着部４は、ベース３に設けられている。電源入力部１１は、上述の電源コードにおけるプラグ側とは反対側のコネクタを接続可能な電源接続用コネクタである。電源入力部１１は、充放電回路部５の充電回路と電気的に接続されている。電源入力部１１は、電源コードを介して外部電源Ｅ１と電気的に接続可能である。電源出力部１２は、充放電回路部５の放電回路と電気的に接続されている。電源出力部１２は、負荷用ケーブルを介して負荷Ｌ１と電気的に接続可能である。電源出力部１２は、負荷Ｌ１へ電力を供給するためのケーブルの一端のコネクタを接続可能な負荷接続用コネクタである。
【００１６】
筐体２は、全体として中空の直方体状に形成されている。筐体２は、一使用形態において下側となる矩形板状の底板２１と、上側となる矩形板状の天板２２と、底板２１及び天板２２と隣り合う矩形筒状の周壁２３と、を有する。底板２１及び天板２２は、筐体２の厚さ方向（第１方向Ｄ１）に直交する。周壁２３は、矩形板状の第１側壁２３１〜第４側壁２３４を有する。第１側壁２３１及び第３側壁２３３は、第２方向Ｄ２に直交し、第２側壁２３２及び第４側壁２３４は、第３方向Ｄ３に直交する。
【００１７】
筐体２は、ボディ２０１と、カバー２０２と、を備える。ボディ２０１は、一面が開口した矩形箱状に形成されており、底板２１と、底板２１の周縁から底板２１の厚さ方向（第１方向Ｄ１）に突出した矩形筒状の第１周壁２３０１と、を有する。カバー２０２は、一面が開口した矩形箱状に形成されており、天板２２と、天板２２の周縁から天板２２の厚さ方向（第１方向Ｄ１）に突出した矩形筒状の第２周壁２３０２と、を有する。筐体２の周壁２３は、ボディ２０１の第１周壁２３０１と、カバー２０２の第２周壁２３０２と、を有する。
【００１８】
充放電ユニット１では、カバー２０２が、ボディ２０１の開口部２０１１（図３参照）を塞ぐ第１位置と開口部２０１１を開放する第２位置との間で回転できるように、ボディ２０１に結合されている。より詳細には、筐体２の第２側壁２３２に２つの蝶番２７が取り付けられている。カバー２０２は、２つの蝶番２７によりボディ２０１に結合されている。図１では、充放電ユニット１におけるカバー２０２は、第１位置にある。図３では、充放電ユニット１におけるカバー２０２は、第２位置にある。
【００１９】
筐体２には、ベース３、複数の装着部４、充放電回路部５等が収納されている。また、筐体２は、複数の電池パック９を収納可能である。電源ユニット１００（図３参照）は、充放電ユニット１と、充放電ユニット１における複数の装着部４のうちの少なくとも１つの装着部４に装着された電池パック９と、を備える。電源ユニット１００は、複数の装着部４の全てに電池パック９が装着されている必要はなく、少なくとも１つの装着部４に電池パック９が装着されていれば、電池パック９を放電させて負荷Ｌ１に電力を供給することができる。また、装着部４の数は、５つに限らず、１つでもよいし、５つ以外の複数でもよい。
【００２０】
ベース３は、電気絶縁性を有する。ベース３は、合成樹脂により形成されている。ベース３は、平面視において、底板２１の第１側壁２３１及び第２側壁２３２側の隅を除いた部位を覆うように形成されている。ベース３は、筐体２内において充放電回路部５等を覆っている。ベース３は、天板２２側の第１面３１及び底板２１側の第２面を有する。
【００２１】
筐体２の第１側壁２３１には、通気口２３１１が形成されている。通気口２３１１は、第１側壁２３１における第２側壁２３２側の部位に形成されている。本実施形態では、通気口２３１１は、ボディ２０１に形成されている。通気口２３１１は、第１方向Ｄ１に沿って形成された複数（例えば４つ）のスリットで構成されている。通気口２３１１の複数のスリットは、第３方向Ｄ３に並んで形成されている。通気口２３１１の構成は、複数のスリットに限らず、例えばメッシュ状に構成されていてもよい。
【００２２】
ファン１０は、送風装置であり、筐体２に収納されている。ファン１０は、筐体２内に空気を流すことにより、充放電回路部５及び電池パック９の温度上昇を抑制する。ファン１０は、吸込口１０２（図９参照）が、筐体２に設けられた複数（２つ）の仕切壁２５を介して通気口２３１１と対向するように配置されている。ファン１０は、ベース３に覆われた状態でベース３に設けられており、ベース３においてファン１０の吸込口１０２に対応する領域は、メッシュ状に形成されている。
【００２３】
また、筐体２は、通気口２３１１とファン１０との間において、第３方向Ｄ３を厚さ方向とし、一面が第２側壁２３２と対向する隔壁２４を有する。隔壁２４は、通気口２３１１よりも第４側壁２３４側において、第１側壁２３１とベース３とにわたって設けられている。隔壁２４は、ボディ２０１と一体に形成されており、底板２１及び第１側壁２３１から突出するように形成されている。底板２１からの隔壁２４の突出高さ（第１方向Ｄ１の寸法）は、隔壁２４が筐体２のカバー２０２と接触しないように設定されている。これにより、充放電ユニット１では、使用者が、カバー２０２を第１位置と第２位置との間で回転させたときにカバー２０２が隔壁２４に当たるのを防止することが可能となる。
【００２４】
２つの仕切壁２５の各々は、通気口２３１１とファン１０との間において、第２方向Ｄ２を厚さ方向とし、一面が第１側壁２３１と対向するように設けられている。２つの仕切壁２５は、互いに第２方向Ｄ２に離れて設けられている。各仕切壁２５の端２５１と筐体２の内面との間には隙間がある。２つの仕切壁２５を区別して説明する場合、第１側壁２３１側の仕切壁２５を第１仕切壁２５Ａ、ファン１０側（第３側壁２３３側）の仕切壁２５を第２仕切壁２５Ｂという。
【００２５】
第１仕切壁２５Ａは、底板２１及び第２側壁２３２から突出するように設けられており、一面が第１側壁２３１に形成された通気口２３１１と対向している。第１仕切壁２５Ａは、第４側壁２３４側の端２５１Ａと筐体２の隔壁２４との間に隙間を形成するように設けられている。
【００２６】
第２仕切壁２５Ｂは、底板２１及び筐体２の隔壁２４から突出するように設けられており、第１仕切壁２５Ａを介して、一面が第１側壁２３１に形成された通気口２３１１と対向している。第２仕切壁２５Ｂは、第２側壁２３２側の端２５１Ｂと第２側壁２３２との間に隙間を形成するように設けられている。
【００２７】
つまり、第１仕切壁２５Ａは、第２方向Ｄ２において、隣りの第２仕切壁２５Ｂの端２５１Ｂと筐体２の内面との間の隙間を覆うように構成されている。また、第２仕切壁２５Ｂは、第２方向Ｄ２において、隣の第１仕切壁２５Ａの端２５１Ａと筐体２の内面との間の隙間を覆うように構成されている。
【００２８】
底板２１からの各仕切壁２５の突出高さ（第１方向Ｄ１の寸法）は、各仕切壁２５が筐体２のカバー２０２と接触しないように設定されており、各仕切壁２５のカバー２０２側の端とカバー２０２との間の隙間はより小さいことが好ましい。これにより、充放電ユニット１では、使用者が、カバー２０２を第１位置と第２位置との間で回転させたときにカバー２０２が各仕切壁２５に当たるのを防止することが可能となる。
【００２９】
また、２つの仕切壁２５は、筐体２（ボディ２０１）と一体に形成されていてもよい。仕切壁２５の数は２つに限らず、１つであってもよいし、２つ以外の複数であってもよい。
【００３０】
また、通気口２３１１とファン１０との間において、底板２１に複数（例えば７つ）の第１孔２１１（図８参照）が形成されている。複数の第１孔２１１の各々は、底板２１を貫通するように形成されている。複数の第１孔２１１は、底板２１における第１仕切壁２５Ａよりも第１側壁２３１側の部位に、第３方向Ｄ３に並んで形成されている。第１孔２１１の数は、７つに限らず、１つであってもよいし、７つ以外の複数であってもよい。
【００３１】
また、通気口２３１１とファン１０との間において、第２側壁２３２に複数（例えば６つ）の第２孔２３２１（図２、９参照）が形成されている。複数の第２孔２３２１の各々は、第２側壁２３２を貫通するように形成されている。複数の第２孔２３２１は、第２側壁２３２における第１仕切壁２５Ａよりも第１側壁２３１側の部位に、第１方向Ｄ１に並んで形成されている。本実施形態では、複数の第２孔２３２１は、ボディ２０１に形成されている。第２孔２３２１の数は、６つに限らず、１つであってもよいし、６つ以外の複数であってもよい。
【００３２】
通気口２３１１は、給気口として機能する。ファン１０が動作することにより、通気口２３１１から吸気された空気は、各仕切壁２５と筐体２の内面との隙間、及び２つの仕切壁２５の間を通ってファン１０に吸い込まれ、充放電回路部５等が配置された空間に送られる。
【００３３】
また、図１４に示すように、ファン１０は、底板２１に設けられた台座部２６の第１面２６１に配置されていてもよい。台座部２６は、底板２１における２つの仕切壁２５よりも第３側壁２３３（図８参照）側の部位に設けられている。台座部２６は、第３方向Ｄ３（図１参照）から見た断面が台形状であり、第３方向Ｄ３に沿って形成されている。台座部２６は、底板２１に対して周壁２３（第１周壁２３０１）の突出方向に離れた第１面２６１と、第１面２６１に対して第１側壁２３１側に隣り合う第２面２６２とを有する。台座部２６の第１面２６１は、第２方向Ｄ２及び第３方向Ｄ３に沿った面と略平行であり、ファン１０が配置される。台座部２６の第２面２６２は、底板２１側の端部が第１面２６１側の端部よりも第１側壁２３１側となるように、第１面２６１に対して傾斜した傾斜面である。台座部２６は、筐体２（ボディ２０１）と別体に構成されて筐体２に固定されているが、これに限らず筐体２（ボディ２０１）と一体に形成されていてもよい。
【００３４】
また、充放電ユニット１は、カバー２０２をボディ２０１の開口部２０１１を塞いだ第１位置に保持するためのラッチ部材２８１及びフック部材２８２を備える。充放電ユニット１は、ラッチ部材２８１及びフック部材２８２を２つずつ備える。ラッチ部材２８１及びフック部材２８２は、筐体２の第４側壁２３４に取り付けられている。ラッチ部材２８１は、ボディ２０１に回転自在に取り付けられている。フック部材２８２は、カバー２０２に取り付けられている。ラッチ部材２８１は、カバー２０２がボディ２０１の開口部２０１１を塞いだ第１位置にあるときに、フック部材２８２に引っ掛けることができる。蝶番２７、ラッチ部材２８１及びフック部材２８２の材質は、耐食性の高い材質が好ましく、例えば、ステンレス鋼が好ましい。
【００３５】
充放電ユニット１は、筐体２の第４側壁２３４に取り付けられたハンドル２９を更に備える。ハンドル２９は、充放電ユニット１において、充放電ユニット１の使用者等の手に握られる構成部分である。ハンドル２９は、筐体２側が開放されたＵ字状に形成されている。充放電ユニット１は、ハンドル２９を備えることにより、使用者の持ち運びやすさを向上させることが可能となる。また、充放電ユニット１は、筐体２の第２側壁２３２から突出した複数の脚部２３２２（図２参照）を更に備える。これにより、筐体２の第２側壁２３２が下側となるように充放電ユニット１を安定した状態で置くことが可能となる。
【００３６】
充放電ユニット１における操作部６は、使用者等による操作入力を受け付けるための機能部である。操作部６は、筐体２の第４側壁２３４から露出するようにボディ２０１に取り付けられている。メイン電源スイッチ６１と、モード切替スイッチ６２と、を備える。充放電ユニット１では、メイン電源スイッチ６１がオンされると、充放電回路部５が動作可能となり、かつ、ファン１０が動作する。モード切替スイッチ６２は、充放電回路部５の動作モードを切り替えるためのスイッチである。充放電回路部５の動作モードとしては、電池パック９を充電させる充電モードと、充放電回路部５に電池パック９を放電させる放電モードと、がある。
【００３７】
電池パック９（図１０参照）は、複数（例えば５個）の二次電池（例えばリチウムイオン電池）と、これら複数の二次電池を収納した直方体状のハウジング本体９１と、ハウジング本体９１の一面９１１の一部から突出した偏平な直方体状の突台部９２と、を備える。ハウジング本体９１及び突台部９２は、電気絶縁性を有する。電池パック９は、ハウジング本体９１内において５個のリチウムイオン電池が直列接続されている。電池パック９としては、例えば、定格電圧が１８Ｖのリチウムイオン電池パックを用いることができる。ここにおいて、電池パック９としては、例えば、パナソニック株式会社製のリチウムイオン電池パックであるＥＺ９Ｌ５４（品番）を採用できる。電池パック９は、定格電圧が１８Ｖのリチウムイオン電池パックに限らず、例えば、定格電圧が１４．４Ｖのリチウムイオン電池パックでもよい。
【００３８】
突台部９２は、長手方向の第１端９２１及び第２端９２２を有する。電池パック９は、突台部９２の第１端９２１に、３つの挿入溝９３１、９３２、９３３が形成されている。３つの挿入溝９３１、９３２、９３３の各々には、雌型の接続端子９６１、９６２、９６３が収納されている。また、電池パック９は、突台部９２の短手方向の一対の側面９２３の各々に設けられたＬ字状の３つのフック９４１、９４２、９４３を備える。また、電池パック９は、ハウジング本体９１の一面９１１から露出してフック９４２とフック９４３との間に配置されるロック部９５を備える。ロック部９５は、ハウジング本体９１の一面９１１を含む壁の孔９１５に挿通されており、ハウジング本体９１内に収納された復帰ばねにより、ハウジング本体９１の一面９１１から突出する方向の力が与えられている。ここにおいて、復帰ばねは、圧縮コイルばねである。また、電池パック９は、ロック部９５によるロック状態を解除するためのロック解除操作部９７を備える。
【００３９】
電池パック９は、図３に示すように、ベース３に設けられた装着部４に着脱自在に装着される。つまり、電池パック９は、装着部４に取り付け可能であり、かつ、装着部４から取り外し可能である。
【００４０】
装着部４は、図９に示すように、ベース３の第１面３１に形成され電池パック９の突台部９２を収容する凹部４０を有する。凹部４０の開口形状は、矩形状である。凹部４０は、ベース３の第１面３１側及びベース３の短手方向の一端側が開放されている。装着部４は、凹部４０の短手方向の一対の内側面４３の各々に設けられ電池パック９のフック９４１、９４２、９４３にそれぞれ引っ掛かるＬ字状の３つのフック１４１、１４２、１４３を備える。また、装着部４は、電池パック９の通信用コネクタ９９に接続可能な通信用コネクタ４９と、電池パック９の３つの接続端子９６１、９６２、９６３のうち２つの接続端子９６１、９６２に差し込み接続される２つの電源端子１５１、１５２と、を備える。ここにおいて、接続端子９６１は、電池パック９の正極の電源端子である。また、接続端子９６２は、電池パック９の負極の電源端子である。要するに、装着部４に電池パック９が装着された場合、電源端子１５１が電池パック９の正極の接続端子９６１と電気的に接続され、電源端子１５２が電池パック９の負極の接続端子９６２と電気的に接続される。電池パック９の通信用コネクタ９９は、電池パック９の情報を示す電池情報を通信するためのコネクタである。電池情報には、温度情報、残容量情報、定格電圧情報、定格容量情報、回数情報等が含まれる。温度情報は、電池パック９の温度を表す。残容量情報は、電池パック９の残容量を表す。定格電圧情報は、電池パック９の定格電圧を表す。定格容量情報は、電池パック９の定格容量を表す。回数情報は、電池パック９の充電回数を表す。
【００４１】
装着部４に電池パック９を装着するときには、例えば、電池パック９のフック９４１、９４２、９４３と装着部４のフック１４１、１４２、１４３とが干渉しないように電池パック９の突台部９２をベース３の第１面３１側から装着部４の凹部４０に挿入する。その後、電池パック９を突台部９２の第１端９２１側にずらすことにより、装着部４に電池パック９を装着することができる。装着部４に電池パック９を装着したときには、電池パック９のフック９４１、９４２、９４３が、装着部４のフック１４１、１４２、１４３にそれぞれ引っ掛かっている。また、電池パック９のロック部９５が、電池パック９のフック９４３に引っ掛かっている装着部４のフック１４３をロックしたロック状態となる。
【００４２】
装着部４から電池パック９を取り外すときには、例えば、電池パック９に設けられているロック解除操作部９７を操作することでフック９４２とフック９４３との間に配置されているロック部９５を復帰ばねのばね力に抗して動かす。そして、電池パック９を突台部９２の第２端９２２側にずらしてから、電池パック９を装着部４の凹部４０の内底面４１から離す向きに動かせばよい。
【００４３】
装着部４は、保護プレート４４（図８参照）を更に備えるのが好ましい。保護プレート４４は、通信用コネクタ４９の上面、３つのフック１４１、１４２、１４３の各々の上面、２つの電源端子１５１、１５２の各々の上面を露出させた状態で凹部４０の開口を覆う。保護プレート４４は、２つのコイルばね４５により支持されている。したがって、装着部４に電池パック９を装着するときには、コイルばね４５のばね力に抗して電池パック９の突台部９２を装着部４の凹部４０に挿入し、電池パック９を突台部９２の第１端９２１側にずらせばよい。充放電ユニット１は、保護プレート４４を備えているので、通信用コネクタ４９内に塵埃等が入るのを抑制することが可能となる。
【００４４】
ベース３における複数の凹部４０の各々の近傍には、ファン１０の吸込口１０２から吸い込まれた空気を吐き出す複数（４つ）の排気口４６（図８及び９参照）が形成されている。複数の排気口４６は、装着部４に装着される電池パック９の複数の通気孔９６（図１０参照）に給気できるように形成されている。
【００４５】
充放電回路部５は、複数の電池パック９を充電する充電回路と、複数の電池パック９を放電させる放電回路と、充電回路及び放電回路を制御する制御部と、を備える。
【００４６】
充電回路は、電源コードを介して外部電源Ｅ１から供給される交流電力を直流電力に変換するスイッチング電源回路を含み、スイッチング電源回路から出力される直流電力により電池パック９を充電する。充放電回路部５は、複数の電池パック９の各々を個別に充電できるように、複数の装着部４に一対一に対応する複数の第１スイッチを含んでいる。複数の第１スイッチは、制御部によって個別にオンオフ制御される。充電回路は、制御部からの指示に基づく動作モードで電池パック９を充電する。充電回路の動作モードとしては、電池パック９を定電流で充電する定電流充電モードと、電池パック９を定電圧で充電する定電圧充電モードと、がある。
【００４７】
放電回路は、複数の電池パック９の各々を個別に放電させて負荷Ｌ１に放電電力を供給できるように、複数の装着部４に一対一に対応する複数の第２スイッチを含んでいる。また、放電回路は、複数の第２スイッチの各々に直列接続された複数のダイオードを含んでいる。複数の第２スイッチは、制御部によって個別にオンオフ制御される。複数のダイオードは、複数の電池パック９間での電流供給を阻止できるように複数の第２スイッチの各々に直列接続されている。
【００４８】
制御部は、操作部６が受け付けた操作入力に基づいて充電回路及び放電回路を制御する。より詳細には、制御部は、操作部６が操作されたときに、その操作内容に応じて、充電回路と放電回路との一方を制御する。また、制御部は、通信用コネクタ４９を介して電池パック９から電池情報を取得し、取得した電池情報に基づいて充電回路、放電回路及び表示部７を制御する。制御部は、例えばメモリ、プロセッサを有するマイコン（マイクロコンピュータ）であり、プロセッサがメモリに格納されたプログラムを実行することにより種々の機能を実現する。プログラムは、予めメモリに記憶されていてもよいし、メモリカードなどの記憶媒体に記録されて提供されてもよいし、電気通信回線を通して提供されてもよい。
【００４９】
表示部７は、筐体２の第４側壁２３４から露出するようにボディ２０１に取り付けられている。表示部７は、複数の装着部４の各々に装着された電池パック９の状態（充電中、満充電状態、放電中）等を表示する。表示部７は、複数の装着部４に一対一で対応する複数の表示用ＬＥＤを備えている。これにより、表示部７は、複数の装着部４それぞれにおける電池パック９の状態を個別に表示することができる。表示部７は、複数の表示用ＬＥＤを備えた構成に限らず、例えば、液晶パネル等でもよい。
【００５０】
充放電ユニット１では、複数の電池パック９を並列接続させるように、複数の装着部４の電源端子１５１同士及び電源端子１５２同士が電気的に接続可能である。
【００５１】
複数台の充放電ユニット１を用意して、これら複数台の充放電ユニット１を重ねて用いる場合、充放電ユニット１は、例えば、図１２〜１３Ｂに示すように、他の充放電ユニット１と重ね合わせて使用することが可能である。
【００５２】
充放電ユニット１は、筐体２の底板２１から筐体２の外向きに突出した複数（４つ）の突部２１２と、筐体２の天板２２に底板２１側を底とするように形成された複数（４つ）の凹部２２１と、を備える。複数の突部２１２は、ボディ２０１と一体である。複数の突部２１２は、底板２１の四隅に設けられている。複数の凹部２２１は、天板２２の四隅に形成されている。複数の突部２１２の各々の先端面は、矩形状である。複数の凹部２２１の各々の開口形状は、矩形状である。複数の突部２１２の各々は、複数の凹部２２１のうち一対一に対応する凹部２２１の底板２１への投影領域にある。要するに、充放電ユニット１は、他の充放電ユニット１が有する複数の突部２１２と一対一に対応し当該複数の突部２１２を嵌め込み可能な複数の凹部２２１を備える。
【００５３】
充放電ユニット１は、複数（２つ）の電気接続部８を備える。複数の電気接続部８の各々は、他の充放電ユニット１と電気的に接続するための電気接続装置である。以下では、２つの電気接続部８を極性により区別して説明する場合、一方を正極電気接続部８Ａ、他方を負極電気接続部８Ｂという。正極電気接続部８Ａは、図１１に示すように、充放電回路部５（の放電回路）と電源出力部１２との間の２つの電路のうち高電位側の電路と電気的に接続されている。また、負極電気接続部８Ｂは、充放電回路部５（の放電回路）と電源出力部１２との間の２つの電路のうち低電位側の電路と電気的に接続されている。複数の電気接続部８は、第１方向Ｄ１に重ねた２台の充放電ユニット１間で複数の電気接続部８のうち同じ極性の電気接続部８同士を電気的に接続可能に構成されている。
【００５４】
複数の電気接続部８の各々は、導電バー８１と、導電部材８２と、を有する。以下では、正極電気接続部８Ａが有する導電バー８１、導電部材８２を、それぞれ、正極導電バー８１Ａ、正極導電部材８２Ａともいう。負極電気接続部８Ｂが有する導電バー８１、導電部材８２を、それぞれ、負極導電バー８１Ｂ、負極導電部材８２Ｂともいう。
【００５５】
正極導電部材８２Ａ及び負極導電部材８２Ｂは、例えば銅（銅合金）等で形成されたＬ字状のブスバー（busbar）である。正極導電部材８２Ａは、筐体２内における第３方向Ｄ３の略中央部の位置で、筐体２の底板２１及び第１側壁２３１に沿って配置されており、各装着部４の正極の電源端子１５１と電気的に接続されている。負極導電部材８２Ｂは、筐体２内における第３方向Ｄ３の略中央部の位置で、筐体２の底板２１及び第３側壁２３３に沿って配置されており、各装着部４の負極の電源端子１５２と電気的に接続されている。つまり、正極導電部材８２Ａは、筐体２内における第２方向Ｄ２の一端側に配置され、負極導電部材８２Ｂは、筐体２内における第２方向Ｄ２の他端側に配置されている。
【００５６】
正極導電バー８１Ａ及び負極導電バー８１Ｂは、例えば銅（銅合金）等で形成された長尺状の導電板である。正極導電バー８１Ａは、長手方向の第１端８１１Ａ及び第２端８１２Ａを有する。負極導電バー８１Ｂは、長手方向の第１端８１１Ｂ及び第２端８１２Ｂを有する。
【００５７】
正極導電バー８１Ａは、第２方向Ｄ２を厚さ方向とするように筐体２の第１側壁２３１に沿って配置されている。正極導電バー８１Ａは、第１固定螺子８３Ａにより長手方向の第１端８１１Ａが正極導電部材８２Ａに取り付けられている。第１固定螺子８３Ａは、充放電ユニット１の使用者が工具を用いないで回転できるように頭部に摘みが設けられた摘み螺子であり、ねじ溝が形成されていない円柱状の胴部と、胴部よりも径が小さく、ねじ溝が形成されている軸部と、を有している。第１固定螺子８３Ａは、胴部が筐体２の第１側壁２３１に形成された貫通孔を通り、かつ、軸部が正極導電バー８１Ａの貫通孔を通って正極導電部材８２Ａのねじ孔に嵌め合わされている。
【００５８】
正極導電バー８１Ａは、第１端８１１Ａと第２端８１２Ａとの間であって第１端８１１Ａに近い部位に、正極導電バー８１Ａの厚さ方向に突出する摘み８５Ａ（図２及び１３Ａ参照）が固定されている。摘み８５Ａは、筐体２の第１側壁２３１に形成されたガイド用スリット２３５Ａを通って筐体２の外側に突出している。ガイド用スリット２３５Ａは、筐体２の第１側壁２３１のうち第１固定螺子８３Ａに対して筐体２の第４側壁２３４側の位置において、第１固定螺子８３Ａの軸部を中心とする円に沿った円弧状に形成されている。正極導電バー８１Ａは、摘み８５Ａがガイド用スリット２３５Ａ内を移動できる範囲において、第１固定螺子８３Ａの軸部を回転軸にして回転移動することができる。
【００５９】
筐体２には、正極導電バー８１Ａの第２端８１２Ａを出し入れ可能とする第１スリット２２２Ａが天板２２に形成されている。第１スリット２２２Ａは、カバー２０２の天板２２における第１側壁２３１側の端部の位置に、天板２２を貫通するように第３方向Ｄ３に沿って形成されている。
【００６０】
摘み８５Ａが、ガイド用スリット２３５Ａ内における天板２２側の端部に位置している場合、正極導電バー８１Ａの長手方向の第２端８１２Ａが第１スリット２２２Ａを通って筐体２の天板２２から突出する。このとき、正極導電バー８１Ａの長手方向が、第１方向Ｄ１及び第３方向Ｄ３に対して傾いた状態となる。つまり、正極導電バー８１Ａは、筐体２の天板２２に直交する面内（第１方向Ｄ１及び第３方向に沿った面内）において、天板２２に対して傾斜した方向に突出する。本実施形態では、正極導電バー８１Ａは、筐体２から突出した状態において、第２端８１２Ａが第１端８１１Ａよりも第４側壁２３４側となるように傾斜している。
【００６１】
摘み８５Ａがガイド用スリット２３５Ａ内における底板２１側の端部に位置している場合、正極導電バー８１Ａは、筐体２内に収納される。このとき、正極導電バー８１Ａの長手方向は、第３方向Ｄ３に沿った方向となる。つまり、摘み８５Ａがガイド用スリット２３５Ａ内における底板２１側の端部に位置している場合、正極導電バー８１Ａは、筐体２から突出しない状態となる。
【００６２】
また、正極導電バー８１Ａは、長手方向の第２端８１２Ａがフック状に形成されている。具体的には、正極導電バー８１Ａの第２端８１２Ａには、凹部８１２１Ａが形成されている。凹部８１２１Ａは、正極導電バー８１Ａが筐体２に収納された状態（摘み８５Ａがガイド用スリット２３５Ａ内における底板２１側の端部に位置している状態）において、底板２１側を底とする。
【００６３】
正極導電部材８２Ａは、第１固定螺子８３Ａに対して底板２１側、かつ、第４側壁２３４側の位置に、第２固定螺子８４Ａが取り付けられている。第２固定螺子８４Ａは、充放電ユニット１の使用者が工具を用いないで回転できるように頭部に摘みが設けられた摘み螺子であり、ねじ溝が形成されていない円柱状の胴部と、胴部よりも径が小さく、ねじ溝が形成されている軸部と、を有している。第２固定螺子８４Ａは、胴部が筐体２の第１側壁２３１に形成された貫通孔を通り、かつ、軸部が正極導電部材８２Ａに形成されたねじ孔に嵌め合わされている。
【００６４】
筐体２には、他の充放電ユニット１の正極導電バー８１Ａの第２端８１２Ａを出し入れ可能とする第２スリット２１３Ａが底板２１に形成されている。第２スリット２１３Ａは、ボディ２０１底板２１における第１側壁２３１側の端部の位置に、底板２１を貫通するように第３方向Ｄ３に沿って形成されている。第２固定螺子８４Ａは、軸部に、他の充放電ユニット１の正極導電バー８１Ａの凹部８１２１Ａが嵌まり込むように構成されている。
【００６５】
次に、負極導電バー８１Ｂについて説明する。負極導電バー８１Ｂ、負極導電部材８２Ｂ、第１固定螺子８３Ｂ及び第２固定螺子８４Ｂは、それぞれ、正極導電バー８１Ａ、正極導電部材８２Ａ、第１固定螺子８３Ａ及び第２固定螺子８４Ａと同様の構成であるので、説明を適宜省略する。
【００６６】
負極導電バー８１Ｂは、第２方向Ｄ２を厚さ方向とするように筐体２の第３側壁２３３に沿って配置されている。負極導電バー８１Ｂは、第１固定螺子８３Ｂにより長手方向の第１端８１１Ｂが負極導電部材８２Ｂに取り付けられている。
【００６７】
負極導電バー８１Ｂは、第１端８１１Ｂと第２端８１２Ｂとの間で第１端８１１Ｂに近い部位に、負極導電バー８１Ｂの厚さ方向に突出する摘み８５Ｂ（図１及び１３Ｂ参照）が固定されている。摘み８５Ｂは、筐体２の第３側壁２３３に形成されたガイド用スリット２３５Ｂを通って筐体２の外側に突出している。ガイド用スリット２３５Ｂは、筐体２の第３側壁２３３のうち第１固定螺子８３Ｂに対して筐体２の第２側壁２３２側の位置において、第１固定螺子８３Ｂの軸部を中心とする円に沿った円弧状に形成されている。負極導電バー８１Ｂは、摘み８５Ｂがガイド用スリット２３５Ｂ内を移動できる範囲において、第１固定螺子８３Ｂの軸部を回転軸にして回転移動することができる。
【００６８】
筐体２には、負極導電バー８１Ｂの第２端８１２Ｂを出し入れ可能とする第１スリット２２２Ｂが天板２２に形成されている。
【００６９】
摘み８５Ｂが、ガイド用スリット２３５Ｂ内における天板２２側の端部に位置している場合、負極導電バー８１Ｂの長手方向の第２端８１２Ｂが第１スリット２２２Ｂを通って筐体２の天板２２から突出する。このとき、負極導電バー８１Ｂの長手方向が、第１方向Ｄ１及び第３方向Ｄ３に対して傾いた状態となる。つまり、負極導電バー８１Ｂは、筐体２の天板２２に直交する面内（第１方向Ｄ１及び第３方向に沿った面内）において、天板２２に対して傾斜した方向に突出する。本実施形態では、負極導電バー８１Ｂは、筐体２から突出した状態において、第２端８１２Ｂが第１端８１１Ｂよりも第２側壁２３２側となるように傾斜している。
【００７０】
摘み８５Ｂがガイド用スリット２３５Ｂ内における底板２１側の端部に位置している場合、負極導電バー８１Ｂは、筐体２内に収納され、筐体２から突出しない状態となる。このとき、負極導電バー８１Ｂの長手方向は、第３方向Ｄ３に沿った方向となる。
【００７１】
また、負極導電バー８１Ｂの第２端８１２Ｂには、凹部８１２１Ｂが形成されている。
【００７２】
負極導電部材８２Ｂは、第１固定螺子８３Ｂに対して底板２１側、かつ、第２側壁２３２側の位置に、第２固定螺子８４Ｂが取り付けられている。
【００７３】
筐体２の底板２１には、他の充放電ユニット１の負極導電バー８１Ｂの第２端８１２Ｂを出し入れ可能とする第２スリット２１３Ｂが形成されている。第２固定螺子８４Ｂは、軸部に、他の充放電ユニット１の負極導電バー８１Ｂの凹部８１２１Ｂが嵌まり込むように構成されている。
【００７４】
第１固定螺子８３Ａが締められた場合、正極導電バー８１Ａは、第１固定螺子８３Ａの胴部によって正極導電部材８２Ａに押し付けられる。これにより、正極導電バー８１Ａは、正極導電部材８２Ａに固定され、正極導電部材８２Ａと電気的に接続される。第１固定螺子８３Ａが緩められた場合、第１固定螺子８３Ａの胴部が正極導電部材８２Ａを押し付ける力が弱まり、正極導電バー８１Ａは、第１固定螺子８３Ａの軸部を回転軸としてスムーズに回転移動することができる。つまり、充放電ユニット１の使用者は、第１固定螺子８３Ａの締付量を調節することにより、摘み８５Ａを持って正極導電バー８１Ａを回転移動させ、正極導電バー８１Ａを任意の位置で固定することができる。また、充放電ユニット１の使用者は、第１固定螺子８３Ａと同様に第１固定螺子８３Ｂの締付量を調節することにより、摘み８５Ｂを持って負極導電バー８１Ｂを回転移動させ、負極導電バー８１Ｂを任意の位置で固定することができる。
【００７５】
第２固定螺子８４Ａが緩められた場合、第２固定螺子８４Ａの胴部と正極導電部材８２Ａとの間に隙間が形成される。この隙間に、他の充放電ユニット１が有する正極導電バー８１Ａの第２端８１２Ａを入れて、第２固定螺子８４Ａの軸部に他の充放電ユニット１の正極導電バー８１Ａの凹部８１２１Ａを引っ掛けることができる。この状態で、第２固定螺子８４Ａが締められた場合、第２固定螺子８４Ａの胴部によって、正極導電部材８２Ａに他の充放電ユニット１の正極導電バー８１Ａが押し付けられる。これにより、正極導電部材８２Ａは、他の充放電ユニット１の正極導電バー８１Ａと電気的及び機械的に接続される。つまり、充放電ユニット１の使用者は、第２固定螺子８４Ａの締付量を調節することにより、正極導電部材８２Ａに他の充放電ユニット１の正極導電バー８１Ａを電気的及び機械的に接続することができる。また、充放電ユニット１の使用者は、第２固定螺子８４Ａと同様に第２固定螺子８４Ｂの締付量を調節することにより、負極導電部材８２Ｂに他の充放電ユニット１の負極導電バー８１Ｂを電気的及び機械的に接続することができる。
【００７６】
次に、２つの充放電ユニット１の連結について説明する。以下の説明では、２つの充放電ユニット１を区別する場合、一方の充放電ユニット１を第１充放電ユニット１ａ、他方の充放電ユニット１を第２充放電ユニット１ｂとして説明する。
【００７７】
２つの充放電ユニット１を連結する場合、一方の充放電ユニット１の天板２２が他方の充放電ユニット１の底板２１と対向するように、２つの充放電ユニット１を第１方向Ｄ１に並べて配置する。本実施形態では、第１充放電ユニット１ａの天板２２が第２充放電ユニット１ｂの底板２１と対向するように、第１充放電ユニット１ａの天板２２側に第２充放電ユニット１ｂが重ねられる。
【００７８】
そして、第１充放電ユニット１ａが有する２つの導電バー８１（正極導電バー８１Ａ、負極導電バー８１Ｂ）を天板２２から突出させる。第１充放電ユニット１ａの筐体２の天板２２から突出した正極導電バー８１Ａは、第２充放電ユニット１ｂの筐体２の底板２１に形成された第２スリット２１３Ａを通って正極導電部材８２Ａと電気的及び機械的に接続される。また、第１充放電ユニット１ａの筐体２の天板２２から突出した負極導電バー８１Ｂは、第２充放電ユニット１ｂの筐体２の底板２１に形成された第２スリット２１３Ｂを通って負極導電部材８２Ｂと電気的及び機械的に接続される。つまり、充放電ユニット１間において、正極電気接続部８Ａ同士が電気的に接続され、かつ、負極電気接続部８Ｂ同士が電気的に接続される。これにより、互いの充放電ユニット１の電源出力部１２同士が電気的に接続され、第１充放電ユニット１ａと第２充放電ユニット１ｂとの間で電池パック９の放電電力を共有することができる。ここにおいて、複数台の充放電ユニット１の各々において装着部４に電池パック９が装着されている場合、複数台の電源ユニット１００を重ねていることになる。
【００７９】
充放電ユニット１の連結台数は２台に限らず、３台以上の充放電ユニット１を重ねて電気的に接続してもよい。また、充放電ユニット１が備える電気接続部８の数は２つに限らず、充放電ユニット１は、３つ以上の電気接続部８を備えていてもよい。
【００８０】
充放電ユニット１は、図１５及び１６に示すように、電力変換ユニット３００と電気的に接続可能である。本実施形態における充放電システム４００は、充放電ユニット１と、電力変換ユニット３００と、を備える。また、本実施形態における電源システム５００は、充放電ユニット１と、充放電ユニット１における装着部４に装着された電池パック９と、電力変換ユニット３００と、を備える。
【００８１】
電力変換ユニット３００は、電力変換回路部３０５及び２つの電気接続部８０を備える。２つの電気接続部８０の各々は、充放電ユニット１の２つの電気接続部８の各々と同様、導電バー８１０及び導電部材８２０を備える。また、電力変換ユニット３００は、２つの第１固定螺子８３０と、２つの第２固定螺子８４０と、２つの摘み８５０と、を備える。２つの第１固定螺子８３０は、充放電ユニット１の第１固定螺子８３Ａ，８３Ｂと同様の構成である。２つの第２固定螺子８４０は、充放電ユニット１の第２固定螺子８４Ａ，８４Ｂと同様の構成である。２つの摘み８５０は、充放電ユニット１の摘み８５Ａ，８５Ｂと同様の構成である。電力変換ユニット３００の２つの電気接続部８０のうち、一方の電気接続部８０は、充放電ユニット１の正極電気接続部８Ａと電気的及び機械的に接続され、他方の電気接続部８０は、充放電ユニット１の負極電気接続部８Ｂと電気的及び機械的に接続される。
【００８２】
ここでは、充放電ユニット１の一対の電気接続部８は、電池パック９の放電電力を出力する電力出力部として機能し、電力変換ユニット３００の一対の電気接続部８０は、電池パック９の放電電力が入力される電力入力部として機能する。
【００８３】
電力変換回路部３０５は、２つ電気接続部８０を介して充放電ユニット１の電池パック９と電気的に接続されており、電池パック９の放電電力を電力変換する。具体的には、電力変換回路部３０５は、インバータ回路であり、電池パック９から放電された直流電力を交流電力に変換する。電力変換回路部３０５の出力端は、電源出力部３１２と電気的に接続されている。電源システム５００では、負荷Ｌ２と電気的に接続された電源ケーブルが、電源出力部３１２に接続されることによって、電池パック９の放電電力を交流に変換した電力を負荷Ｌ２に供給することができる。電力変換回路部３０５は、インバータ回路に限らず、ＤＣ−ＤＣコンバータでもよい。
【００８４】
また、電力変換ユニット３００は、充放電ユニット１の筐体２と同様の形状である筐体３０２を備える。また、電力変換ユニット３００は、充放電ユニット１の複数の突部２１２、複数の凹部２２１それぞれと同様の形状である複数の突部、複数の凹部３２２１を備える。図１５に示すように、電力変換ユニット３００は、充放電ユニット１と重ね合わせて電気的かつ機械的に接続することが可能である。
【００８５】
以上説明したように、本実施形態の第１態様に係る充放電ユニット１は、装着部４と、充放電回路部５と、筐体２と、ファン１０と、を備える。装着部４は、電池パック９が着脱自在に装着される。充放電回路部５は、装着部４に装着された電池パック９を充電する機能及び放電させる機能を有する。筐体２は、装着部４および充放電回路部５が収納され、かつ、電池パック９を収納可能である。ファン１０は、筐体２に収納され、筐体２内に空気を流す。筐体２は、底板２１と、底板２１から底板２１の厚さ方向に突出する筒形状の周壁２３と、を有する。周壁２３には、通気口２３１１が形成されている。通気口２３１１とファン１０との間において、底板２１に孔（第１孔２１１）が形成され、かつ、通気口２３１１と対向する仕切壁２５が設けられている。仕切壁２５の端２５１と筐体２の内面との間に隙間がある。
【００８６】
上記構成により、充放電ユニット１は、水等が通気口２３１１を通って筐体２に入ったとしても、底板２１に形成された第１孔２１１から水等を排出することができる。また、充放電ユニット１は、通気口２３１１とファン１０との間に仕切壁２５が介在しているので、水等が通気口２３１１を通ってファン１０に直接的に到達することが抑制される。これにより、これにより、充放電ユニット１は、筐体２内の奥への水等の浸入を抑制することが可能となる。
【００８７】
本実施形態の第２態様に係る充放電ユニット１は、第１態様において、周壁２３は、通気口２３１１が形成されている第１側壁２３１と、厚さ方向が第１側壁２３１の厚さ方向と交差する第２側壁２３２と、を有することが好ましい。通気口２３１１とファン１０との間において、第２側壁２３２に、第１孔２１１とは別の第２孔２３２１が形成されていることが好ましい。
【００８８】
上記構成により、充放電ユニット１は、第２側壁２３２が下側となるように使用された場合であっても、通気口２３１１を通って筐体２に入った水等を第２側壁２３２に形成された第２孔２３２１から排出することができる。これにより、充放電ユニット１は、筐体２内の奥への水等の浸入を抑制することが可能となる。
【００８９】
本実施形態の第３態様に係る充放電ユニット１は、第１又は第２態様において、通気口２３１１とファン１０との間において、仕切壁２５が複数設けられていることが好ましい。複数の仕切壁２５は、互いに一方向（第２方向Ｄ２）に離れて設けられていることが好ましい。複数の仕切壁２５の各々は、一方向（第２方向Ｄ２）において、隣の仕切壁２５の端２５１と筐体２の内面との隙間を覆うことが好ましい。
【００９０】
上記構成により、充放電ユニット１は、通気口２３１１とファン１０との間に複数の仕切壁２５が介在し、各仕切壁２５が隣の仕切り板２５と筐体２との隙間を覆うので、水等が通気口２３１１を通ってファン１０に直接的に到達することがより抑制される。これにより、充放電ユニット１は、筐体２内の奥への水等の浸入をより抑制することが可能となる。
【００９１】
本実施形態の第４態様に係る充放電ユニット１は、第１乃至第３態様のいずれか１つの態様において、底板２１に対して周壁２３の突出方向に離れた一面（第１面２６１）を有する台座部２６を備えることが好ましい。ファン１０は、台座部２６の一面（第１面２６１）に配置されることが好ましい。
【００９２】
上記構成により、充放電ユニット１は、底板２１を伝う水等を台座部２６により阻止することができるので、通気口２３１１を通った水等がファン１０に到達することが抑制される。これにより、充放電ユニット１は、筐体２内の奥への水等の浸入を抑制することが可能となる。
【００９３】
本実施形態の第５態様に係る電源ユニット１００は、第１乃至第４態様のいずれか１つの態様に係る充放電ユニット１と、装着部４に装着される電池パック９と、を備える。
【００９４】
上記構成により、電源ユニット１００は、充放電ユニット１の筐体２内の奥への水等の浸入を抑制することが可能となる。
【００９５】
本実施形態の第６態様に係る充放電システム４００は、第１乃至第４態様のいずれか１つの態様に係る充放電ユニット１と、電池パック９の放電電力を電力変換する電力変換ユニット３００と、を備える。
【００９６】
上記構成により、充放電システム４００は、充放電ユニット１の筐体２内の奥への水等の浸入を抑制することが可能となる。
【００９７】
本実施形態の第７態様に係る電源システム５００は、第６態様に係る充放電システム４００と、装着部４に装着される電池パック９と、を備える。
【００９８】
上記構成により、電源システム５００は、充放電ユニット１の筐体２内の奥への水等の浸入を抑制することが可能となる。
【００９９】
上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【０１００】
例えば、充放電ユニット１は、筐体２の天板２２に形成された第１スリット２２２Ａ，２２２Ｂを開閉自在に覆う複数のシャッターを備えていてもよい。また、充放電ユニット１は、筐体２の底板２１に形成された第２スリット２１３Ａ，２１３Ｂを開閉自在に覆う複数のシャッターを備えていてもよい。これにより、充放電ユニット１は、他の充放電ユニット１と連結していないときに第１スリット２２２Ａ，２２２Ｂ、及び第２スリット２１３Ａ，２１３Ｂがシャッターにより覆われていれば、筐体２内に異物が入るのを抑制することが可能となる。
【０１０１】
また、充放電ユニット１は、筐体２に排気用の孔が形成されていてもよい。排気用の孔は、筐体２において吸気用の通気口２３１１から離れた領域に形成されているのが好ましく、例えば筐体２の第３側壁２３３に形成されているのが好ましい。
【符号の説明】
【０１０２】
１  充放電ユニット
２  筐体
２１  底板
２１１  第１孔（孔）
２３  周壁
２３１  第１側壁
２３１１  通気口
２３２  第２側壁
２３２１  第２孔
２５  仕切壁
２５Ａ  第１仕切壁
２５Ｂ  第２仕切壁
２６  台座部
２６１  第１面（一面）
４  装着部
５  充放電回路部
９  電池パック
１０  ファン
１００  電源ユニット
４００  充放電システム
５００  電源システム
【図１】
2018037460.tif 000003
【図２】
2018037460.tif 000004
【図３】
2018037460.tif 000005
【図４】
2018037460.tif 000006
【図５】
2018037460.tif 000007
【図６】
2018037460.tif 000008
【図７】
2018037460.tif 000009
【図８】
2018037460.tif 000010
【図９】
2018037460.tif 000011
【図１０】
2018037460.tif 000012
【図１１】
2018037460.tif 000013
【図１２】
2018037460.tif 000014
【図１３】
2018037460.tif 000015
【図１４】
2018037460.tif 000016
【図１５】
2018037460.tif 000017
【図１６】
2018037460.tif 000018